(57)【要約】【課題】緊急使用時にロープの絡み合いがなくて確実に救命ブイを投げることができるとともに、景観に配慮したものとすることができる救命具を提供する。【解決手段】この救命具は、救命浮輪２と、地中に立設されたポールＰと、これらの救命浮輪２とポールＰとに両端部を固定されたロープ１６とを備え、ポールＰは、地中に立設された筒状のポール本体１と、ポール本体１に設けられた掛止具３と、ポール本体１内に設けられた棒状の中棒５とを備え、ロープ１６は、ポールＰ側の一端部を中棒５に固定されているとともに、中棒５の周囲に巻かれてからポール本体１の上端開口からポール本体１の外部に延びており、救命浮輪２は、掛止具３掛けられている。【選択図】図１
2013192563.tif 000002
【特許請求の範囲】
【請求項１】
救命ブイと、地中に立設されたポールと、これらの救命ブイとポールとに両端部を固定されたロープとを備え、
前記ポールは、地中に立設された筒状のポール本体と、前記ポール本体に設けられた掛止部と、前記ポール本体内に設けられた棒状の中棒とを備え、
前記ロープは、前記ポール側の一端部を前記中棒に固定されているとともに、当該中棒の周囲に巻かれてから前記ポール本体の上端開口から前記ポール本体の外部に延びており、
前記救命ブイは、前記掛止部に掛けられていることを特徴とする救命具。
【請求項２】
前記ポール本体には、上端開口を塞ぐキャップが設けられ、このキャップには、前記ロープの通し孔が設けられていることを特徴とする請求項１に記載の救命具。
【請求項３】
前記中棒は、前記ポール本体の上端開口から挿入されて前記ポール本体内に設けられた支持部に底部を支持されていることを特徴とする請求項１または請求項２に記載の救命具。
【発明の詳細な説明】
【技術分野】
【０００１】
本発明は、湖沼、河川、海等に落ちた人を救助するための救命具に関する。
【背景技術】
【０００２】
近年、ゴルフ場において、コース内の池に誤って人が落ち、重大な事故が発生することがある。このため、池に落ちた人を助けるために、池の周囲に救命具を設置するゴルフ場が増えつつある。
従来、このような救命具としては、例えば、地中に細長い棒状のポールが立設され、このポールと救命浮輪とがロープで繋がれ、ポールに設けられた掛止部に救命浮輪と何重にも巻かれたロープとが掛けられているものが知られている。
なお、先行技術文献は特に記載しない。
【発明の概要】
【発明が解決しようとする課題】
【０００３】
しかしながら、このような従来の救命具にあっては、緊急使用時に浮輪を持って投げようとすると、ロープが絡み合って救命浮輪が投げられない場合がある。また、ロープが露出しているので、景観を損ねるという問題がある。さらには、ロープが露出しているので、ロープが風雨に曝され、また紫外線により劣化するとともに、冬場にはロープが凍結し、このため使用できない場合がある。
【０００４】
本発明は、前記事情に鑑みて為されたもので、緊急使用時にロープの絡み合いがなくて確実に救命ブイを投げることができるとともに、景観に配慮したものとすることができる救命具を提供することを目的とする。
【課題を解決するための手段】
【０００５】
前記課題を解決するために、本発明の救命具は、救命ブイと、地中に立設されたポールと、これらの救命ブイとポールとに両端部を固定されたロープとを備え、
前記ポールは、地中に立設された筒状のポール本体と、前記ポール本体に設けられた掛止部と、前記ポール本体内に設けられた棒状の中棒とを備え、
前記ロープは、前記ポール側の一端部を前記中棒に固定されているとともに、当該中棒の周囲に巻かれてから前記ポール本体の上端開口から前記ポール本体の外部に延びており、
前記救命ブイは、前記掛止部に掛けられていることを特徴とする。
【０００６】
本発明においては、緊急使用時に、救命ブイを持ってロープを引いて行くと、筒状のポール本体内に設けられている中棒の周囲に巻かれたロープが解けて、ポール本体の上端開口からポール本体の外部に伸びて行く。ロープが充分伸びた状態で救命ブイを池等に落ちた人の近くに投げる。
【０００７】
本発明にあっては、緊急使用時に、救命ブイを持ってロープを引いて行くと、筒状のポール本体内に設けられている中棒の周囲に巻かれたロープが絡まることなく、ポール本体の上端開口からポール本体の外部に伸びて行くので、確実に救命ブイを投げることができる。
また、ロープの大部分が筒状のポール本体内に収容されているので、外観としてはポール本体と掛係部と救命ブイとロープの短い一部等であるため、景観に配慮したものとなっている。
【０００８】
本発明の上記構成において、前記ポール本体には、上端開口を塞ぐキャップが設けられ、このキャップには、前記ロープの通し孔が設けられていることが好ましい。
これにより、ロープの大部分が筒状のポール本体内に収容されているとともに、ポール本体の上端開口がキャップにより塞がれているので、ロープを風雨や紫外線から防護することができるため、緊急使用時にも確実に使用することができる。また、冬場にロープが凍結して使用できなくなるのを防止できる。
【０００９】
また、本発明の上記構成において、前記中棒は、前記ポール本体の上端開口から挿入されて前記ポール本体内に設けられた支持部に底部を支持されていることが好ましい。
これにより、中棒にロープを巻いた後、筒状のポール本体に上端開口から挿入するだけで良いので、救命具の設置が簡単である。さらには、ロープが巻かれた中棒をポール本体の上端開口から引き揚げて、ロープのメンテナンス等を簡単に行うことができる。
【発明の効果】
【００１０】
本発明によれば、緊急使用時にロープの絡み合いがなくて確実に救命ブイを投げることができるとともに、景観に配慮した救命具とすることができる。
【図面の簡単な説明】
【００１１】
【図１】本発明の実施の形態に係る救命具を示す概略図である。
【図２】ロープの巻取具を説明するための図である。
【発明を実施するための形態】
【００１２】
以下、本発明の実施の形態を図面を参照しつつ説明する。
図１および図２に示すように、本発明の実施の形態に係る救命具は、池等の近くの土中に打ち込まれた細長い筒状のポール本体１を備えている。ポール本体１の上端より少し下側の位置には、救命浮輪（救命ブイ）２を掛けるためのＵ字状の掛止具（掛止部）３がねじ１０により固定されている。また、掛止具３の上端部はテープ１１が巻かれて固定されている。ポール本体１の上端部には、ポール本体１の上端開口を塞ぐキャップ４が取り付けられている。キャップ４は、有底円筒状でかつ底部が半球状に形成されたものであり、開口側をポール本体１の上端部の外側に嵌合することにより、ポール本体１に取り付けられている。
【００１３】
ポール本体１内には、細長い棒状の中棒５が収容されている。中棒５の両端部にはそれぞれ、本体部６よりも径が大きい径大部７が設けられている。下側の径大部７の先端には、複数の貫通孔が形成された載置板９がねじ１２により固定されている。本体部６には、下側の径大部７の近傍の位置に、ロープの通し孔１３が設けられている。
ポール本体１と中棒５と掛止具３とにより、ポールＰが構成されている。
【００１４】
ポール本体１には、地上部分の下側の位置に、複数個のねじ１４が周囲から中心部に向けてねじ込まれて支持部１５が形成されている。中棒５は、ポール本体１の上端開口から挿入されてポール本体１内の支持部１５に底部の載置板９が支持されることにより、ポール本体１内に位置固定されている。なお、中棒５がポール本体１内で上方に移動しないように、ポール本体１に抜け止め部材を設けると、ロープを引き出すときに、中棒５がポール本体１から外部に引き出されてしまうのを防止することができる。
【００１５】
中棒５の通し孔１３には、ロープ１６の一端部が挿通され、抜けないようにしてされており、これによりロープ１６の一端部が取り付けられている。ロープ１６が通し孔１３から抜けないようにするには、例えば、ロープ１６の一端部を通し孔１３に通した後に、ロープ１６を中棒５の外周に１回程度巻くと抜け止めとなる。あるいは、ロープ１６の一端部を通し孔１３に通した後に、結び目を作って抜け止めにするなどしてもよい。ロープ１６は、大部分が中棒５の周囲に巻き付けられ、他端部の近くの部位がキャップ４の底部中央に形成されたロープの通し孔１７を挿通され、他端部が救命浮輪２に取り付けられている。ロープ１６は、中棒５の周囲に１重または複数回重ねて巻き付けられる。なお、中棒５の本体部６の外周面にらせん状の溝を形成すると、ロープ１６を整然と巻くことができ、ロープ１６を引き出すときに円滑に引き出すことができる。
【００１６】
ポール本体１には、載置板９より下側の位置に、水抜き孔２３が設けられている。また、ポール本体１には、地中の位置に、アンカーの通し孔２５が設けられており、この通し孔２５にアンカー２６が挿通され、これによりポール本体１の抜け止めが図られている。
【００１７】
図２に示すように、中棒５にロープ１６を巻くための巻取具３４を用いると、容易に整然と中棒５にロープ１６を巻く付けることができる。この巻取具３４は、そのねじ部３５を中棒５の上側の径大部７の外側に設けられたねじ部３６にねじ込むことにより、中棒５に取り付け、その後Ｌ字状のハンドル部３７を回しことにより、中棒５を回転させてロープ１６を巻き付けるようになっている。
上記ポール本体１、キャップ４、中棒５、巻取具３４は、塩化ビニル等の合成樹脂で構成することができる他、アルミニウム等の金属などの材料で構成できる。
【００１８】
この救命具においては、緊急使用時に、キャップ４を外した後、このキャップ４と救命浮輪２とを持ってロープ１６を引いて行くと、筒状のポール本体１内に設けられている中棒５の周囲に巻かれたロープ１６が解けて、ポール本体１の上端開口からポール本体１の外部に伸びて行く。ロープ１６が充分伸びた状態で救命浮輪２を池等に落ちた人の近くに投げる。
【００１９】
このように構成された救命具にあっては、緊急使用時に、ロープ１６を引いて行くと、筒状のポール本体１内に設けられている中棒５の周囲に巻かれたロープ１６が絡まることなく、ポール本体１の上端開口からポール本体１の外部に伸びて行くので、確実に救命浮輪２を投げることができる。このように、細長い中棒５に巻かれたロープ１６は絡まることなく円滑に引き出すことができる。
また、ロープ１６の大部分が筒状のポール本体１内に収容されているので、外観としてはポール本体１と掛止具３と救命浮輪２とロープ１６の短い一部であるため、景観に配慮したものとすることができる。
【００２０】
さらに、ロープ１６の大部分が筒状のポール本体１内に収容されているとともに、ポール本体１の上端開口がキャップ４により塞がれているので、ロープ１６を風雨や紫外線から防護することができるため、緊急使用時にも確実に使用することができる。また、冬場にロープ１６が凍結して使用できなくなるのを防止できる。
【００２１】
また、中棒５がポール本体１の上端開口から挿入されてポール本体１内に設けられた支持部１５に底部を支持されているので、中棒５にロープ１６を巻いた後、筒状のポール本体１に上端開口から挿入するだけで良いため、救命具の設置が簡単である。さらには、ロープ１６が巻かれた中棒５をポール本体１の上端開口から引き揚げて、ロープ１６のメンテナンス等を簡単に行うことができる。
【００２２】
なお、上述の実施の形態の形態では、キャップ４を設けたが、これを設けなくてもよい。
また、上述の実施の形態の形態では、本発明の救命具をゴルフ場の池に設置した場合について説明したが、本発明はこれに限らず、湖沼、河川、海等に落ちた人を救助するために設置して用いることができる。
【符号の説明】
【００２３】
Ｐ      ポール
１      ポール本体
２      救命浮輪（救命ブイ）
３      掛止具（掛止部）
４      キャップ
５      中棒
１５    支持部
１７    通し孔
【図１】
2013192563.tif 000003
【図２】
2013192563.tif 000004